【手続補正書】
【提出日】平成17年4月15日(2005.4.15)
【手続補正１】
【補正対象書類名】明細書
【補正対象項目名】０００３
【補正方法】変更
【補正の内容】
【０００３】
例えば、ポジ型感光性平版印刷版としては、特公昭５４−２６９２３号公報、特公昭５６−２３１５０号公報などに基板上に光重合性接着層とインキ反発層であるシリコーンゴム層とが積層された水なし平版印刷版、また特公平３−５６６２２号公報、特開昭６１−１５３６５５号公報などに基板上に光二量化型感光層とインキ反発層であるシリコーンゴム層とが積層された水なし平版印刷版が提案されている。
【手続補正２】
【補正対象書類名】明細書
【補正対象項目名】０００４
【補正方法】変更
【補正の内容】
【０００４】
また、ネガ型感光性平版印刷版としては、特公昭６１−６１６号公報、特公昭６１−５４２１８号公報などに支持体上にキノンジアジド化合物を含む感光層とその上に接着層を介してインキ反発層であるシリコーンゴム層を設けた水なし平版印刷版、特公昭６１−５４２２２号公報などに光剥離性感光層上にインキ反発層であるシリコーンゴム層を設けた水なし平版印刷版が提案されており、実用上優れた性能を有するものとして知られている。これらの中でも特に特公昭６１−５４２２２号公報には、支持体上に、１，２−ナフトキノン−２−ジアジド−５−スルホン酸クロリドとフェノールホルムアルデヒドノボラック樹脂の部分エステル化物を多官能イソシアネートで架橋した光剥離性感光層、およびその上にインキ反発層としてのシリコーンゴム層を設けたネガ型水なし平版印刷版が開示されている。
【手続補正３】
【補正対象書類名】明細書
【補正対象項目名】０００６
【補正方法】変更
【補正の内容】
【０００６】
ところで、製版用フイルムを使用しないで原稿から直接オフセット印刷版を作成する、いわゆるダイレクト製版システムが最近脚光を浴びてきている。このダイレクト製版システムは熟練度を必要としない簡易性、短時間で印刷版が得られる迅速性、多様なシステムから品質とコストに応じて選択可能である合理性などの特長を生かして、軽印刷業界のみでなく、一般オフセット印刷、グラビア印刷の分野にも進出し始めている。
【手続補正４】
【補正対象書類名】明細書
【補正対象項目名】０００９
【補正方法】変更
【補正の内容】
【０００９】
サーマルヘッドで書き込む方法としては、特開平７−４３８９５号公報に感光層にｏ−キノンジアジド化合物とｏ−キノンジアジド化合物の光反応生成物と加熱により反応してアルカリ不溶物を形成させる添加物を含有し、該感光層の上にシリコーンゴム層を積層した水なし平版印刷版が提案されている。この水なし平版印刷版にｏ−キノンジアジド化合物の活性光線を用いて全面露光した後、サーマルヘッドを用いて画像状に加熱し、アルカリ性現像液を用いてサーマルヘッドの非加熱領域を除去してポジ型の水なし平版印刷版を得ている。しかし、これらの方法はシリコーンゴム層と同時に感光層全体を除去するため網点セルが深くなり、印刷インキがセル全体に充填されにくため、特にハイライト部の印刷再現性が難しい等の問題が発生する。
【手続補正５】
【補正対象書類名】明細書
【補正対象項目名】００１１
【補正方法】変更
【補正の内容】
【００１１】
例えば、米国特許第５６３１１１９号明細書には、感光層にｏ−キノンジアジド化合物とｏ−キノンジアジド化合物の光反応生成物と加熱により反応してアルカリ不溶物を形成させる添加物を含有し、該感光層の上にシリコーンゴム層を積層した水なし平版印刷版が提案されている。この水なし平版印刷版にｏ−キノンジアジド化合物の活性光線を用いて全面露光した後、レーザー光線を用いて画像状に照射し、アルカリ性現像液を用いてレーザー光線の非照射領域を除去してポジ型の水なし平版印刷版を得ている。しかし、これらの方法もまたシリコーンゴム層と同時に感光層全体を除去するため網点セルが深くなり、印刷インキがセル全体に充填されにくため、特にハイライト部の印刷再現性が難しい等の問題が発生する。
また、米国特許第５３７９６９８号明細書には、金属薄膜を感熱破壊層として用いる直描型水なし平版印刷版が記載されているが、金属薄膜自体がレーザ光を有る程度反射するために、印刷版の感度が悪いといった問題があった。このため、レーザ光の吸収率を上げるためには反射防止層を設けなければならず、塗布行程がさらに増えて、コストがかかる結果となる。
【手続補正６】
【補正対象書類名】明細書
【補正対象項目名】００１２
【補正方法】変更
【補正の内容】
【００１２】
さらに、特開平６−１９９０６４号公報、米国特許第５３３９７３７号明細書、米国特許第５５３５３７０５号明細書、ヨーロッパ特許第０５８０３９３号明細書にもレーザ光を光源として用いる、直描型水なし平版印刷版原版が記載されている。
【手続補正７】
【補正対象書類名】明細書
【補正対象項目名】０１１２
【補正方法】変更
【補正の内容】
【０１１２】
アルコール類、（メタノール、エタノール、プロパノール、ベンジルアルコール、エチレングリコールモノフェニルエーテル、２ーメトキシエタノール、カルビトールモノエチルエーテル、ジエチレングリコールモノヘキシルエーテル、ジエチレングリコールモノー２ーエチルヘキシルエーテル、トリエチレングリコールモノエチルエーテル、ジプロピレングリコールモノメチルエーテル、ポリエチレングリコールモノメチルエーテル、ジエチレングリコール、トリエチレングリコール、ジプロピレングリコール、ポリプロピレングリコール、１，３ーブタンジオール、１，４ーブタンジオール等）
エーテル類（メチルセロソルブ、エチルセロソルブ、ブチルセロソルブ、エチルカルビトール、ブチルカルビトール、ジオキサン等）
エステル類（酢酸エチル、乳酸メチル、乳酸エチル、乳酸ブチル、セロソルブアセテート、カルビトールアセテート、ジプロピレングリコールモノメチルエーテル、ジエチルフタレート、アジピン酸ジオクチル、アジピン酸ジエチル、フタル酸ジオクチル、セバシン酸ジオクチル等）
その他（トリエチルフォスフェート等）
上記現像液にアニオン界面活性剤、ノニオン界面活性剤、カチオン界面活性剤や両性イオン界面活性剤など種々の界面活性剤、およびこれら界面活性剤にアルカリ剤等を添加したものも使用することが出来る。アルカリ剤としては、例えば炭酸ナトリウム、ケイ酸ナトリウム、水酸化ナトリウム、水酸化カリウム、ホウ酸ナトリウム等の無機アルカリ剤、あるいはモノ、ジまたはトリエタノールアミン、モノ、ジまたはトリエタノールアミン、モノ、ジまたはトリエチルアミン、モノ、ジまたはトリイソプロパノールアミン、モノ、ジまたはトリイソプロピルアミン、２ーエチルアミノエタノール、ジグリコールアミン、エチレンイミン、エチレンジイミン等の有機アミン化合物などが挙げられる。
【手続補正８】
【補正対象書類名】明細書
【補正対象項目名】０１４７
【補正方法】変更
【補正の内容】
【０１４７】
【表１】
1999038601.tif 000001
上記表１の結果のごとく、本発明の請求の範囲にある実施例２〜５においては、メタルハライドランプと半導体レーザーのいずれで露光しても良好な露光パターンを再現し、耐刷力も十分に備わった水なし平版印刷版が得られる。
【手続補正９】
【補正対象書類名】明細書
【補正対象項目名】０１５９
【補正方法】変更
【補正の内容】
【０１５９】
【表２】
1999038601.tif 000002
上記表２の結果のごとく、本発明の請求の範囲にある実施例６〜９においては、メタルハライドランプと半導体レーザーのいずれで露光しても良好な露光パターンを再現し、耐刷力も十分に備わった水なし平版印刷版が得られる。
【手続補正１０】
【補正対象書類名】明細書
【補正対象項目名】０１６５
【補正方法】変更
【補正の内容】
【０１６５】
【表３】
1999038601.tif 000003
上記表３の結果のごとく、本発明の請求の範囲にある実施例１０〜１２においてはメタルハライドランプと半導体レーザーのいずれで露光しても良好な露光パターンを再現し、耐刷力も十分に備わった水なし平版印刷版が得られる。